(57)【特許請求の範囲】
【請求項１】
基板とケースにＩＣ、絞り、レンズ、ＩＲカットフィルタ等を収容してパッケージし、回路基板に実装して用いる小型撮像モジュールにおいて、
レンズの下側に感度調整用のＩＲカットフィルタを配置するとともに、レンズの上方にもＩＲカットフィルタを配置して熱輻射を遮断することを特徴とする小型撮像モジュール。
【請求項２】
基板とケースにＩＣ、絞り、レンズ、ＩＲカットフィルタ等を収容してパッケージし、回路基板に実装して用いる小型撮像モジュールにおいて、
レンズを支持するケース内の棚部を連続した形状でなく３個以上に分割して、レンズとケースの接触面積を減らしたことを特徴とする小型撮像モジュール。
【発明の詳細な説明】
【０００１】
【発明の属する技術分野】
本発明は、ビデオカメラ、監視カメラ、工業用カメラ、パソコン、電話機等に組み込んで映像を撮影するのに用いる小型撮像モジュールに関する。
【０００２】
【従来の技術】
図３は上記のような小型撮像モジュールの一例で、同図（Ａ）は上面図、（Ｂ）は（Ａ）のＢ−Ｂ断面図である。また、図４にその分解斜視図を示す。これらの図面に見るように、セラミックスやガラス入りエポキシ樹脂等の基板１とプラスチックのケース２に、構成各要素を収容してパッケージしたものである。基板１にはＩＣ（３）をダイボンデイングし、ワイヤ４でワイヤボンディングしてある。ＩＣ（３）には、フォトダイオード等の光電変換素子とＭＯＳトランジスタあるいはＣＣＤ素子を組み合わせた検出要素を、多数、マトリクス配置した撮像回路が形成されている。
【０００３】
図４で明らかなように、ケース２は下側が箱形、上側が円筒状で、図３（Ｂ）に見るように、基板１上のＩＣ（３）に面して、ケース２の内側下部にＩＲ（赤外線）カットフィルタ７が固定してあり、これにより屋外など赤外線が多い環境で電荷が飽和して、画像が真っ白になるのを防いでいる。ケース２の上側の円筒部の内壁に棚２ａがあって、これにレンズ６が取り付けてある。レンズ６は透明なプラスチック製で、円板状の基部６ａの下面に凸レンズ６ｂを形成してあり、基部６ａの外周を棚２ａに載せ、上面を絞り５で押さえて支持している。絞り５には光路となる穴５ａが開けてある。これらの部品相互の接合にはエポキシ等の接着剤を用いている。このような構成により、外界の映像はレンズ６を通してＩＣ（３）の表面に結像し、電気信号に変換され処理される。
【０００４】
基板１の周辺には複数の窪み１ａがあり、窪み１ａの内壁は導電材料で被覆されていて、この導電材料は基板１の上下両面の導電パターンを接続し、図示してないが、基板１の下面における窪み１ａの回りの導電材料のランド部が、組み込み先回路基板への接続用の端子電極になっている。従ってこの小型撮像モジュールは、基板１の下面の端子電極を用いて、電子機器の回路基板に表面実装するのに適する。
【０００５】
【発明が解決しようとする課題】
回路部品を電子機器の回路基板に表面実装するには、半田のリフローによるのが便利であるが、上記の小型撮像モジュールには、これを行うのが困難な事情がある。それは透明プラスチックのレンズ６が、２３０℃以上に達するリフロー温度に耐えられずに変形してしまうことである。図５は、先の小型撮像モジュールのケース２の上端の、レンズ６を収容した部分の断面図である。同図（Ａ）のように、レンズ６の基部６ａをケース２内壁の棚２ａに載せて、絞り５で押さえて保持し、絞り５はケース２の上端に接着剤８で接合してある。この小型撮像モジュールを表面実装するために、回路基板に仮付けしてリフロー炉に入れて加熱すると、レンズ６は同図（Ｂ）の矢印のように熱膨張しようとするものの、周囲のケース２や絞り５に圧迫されて歪んだり、甚だしい場合には溶融し、変形して固化したりするので、実装後、正常に結像しなくなる。
【０００６】
このため小型撮像モジュールの回路基板への実装は、一つずつ手作業で半田付けしたり、基板１にケース２を固定してあるだけでレンズの付いてないパッケージを、回路基板にリフローで実装し、レンズや絞りを後工程で取り付けるなどの方法を取ることになって、工数がかかる。耐熱性のあるガラスレンズならリフロー温度に耐えるが、ガラスレンズはプラスチックレンズに比し高価で、コスト上不利である。本発明は上記の問題を解決し、プラスチックレンズを用いた構造であって、半田のリフローで表面実装できる小型撮像モジュールを提供するものである。
【０００７】
【課題を解決するための手段】
上記の課題を解決するため、本発明ではレンズにリフロー熱が極力伝わらないようにする手段を取る。周知のように熱の伝達は伝導、対流、輻射によって生じ、リフロー炉内では回路基板から実装部品への熱伝導、炉内の熱せられた空気の対流、赤外線ヒーターからの熱輻射が起きるので、これらに対処する構造を実現する。
【０００８】
すなわち、
１．レンズの下側に配置される感度調整用のＩＲカットフィルタとは別に、レンズの上方にもＩＲカットフィルタを配置することにより、炉内の赤外線による上方から熱輻射を防ぐ。
２．基板からケースの側壁を経てケース上部のレンズに至る経路を、迂回させて長く形成することにより、小型撮像モジュールを載せた組み込み先の回路基板からの熱伝導度を下げ、レンズに伝わる熱量を減らす。
３．ケースへのレンズ取り付け部におけるケースとレンズの接触面積を減らすことにより、この部分の熱伝導度を下げる。
上記の各手段は組み合わせて用いることができる。
【０００９】
【発明の実施の形態】
以下、図面に基づいて本発明の実施形態を説明する。なお、実施形態にて小型撮像モジュールとしての基本構造は先の図３、図４のものと同様であるから、対応する部品や部分については同じ符号をつけ、詳細な説明は省略する。
【００１０】
図１は本発明の実施形態の断面図、図２はその分解斜視図である。先の図３、図４の小型撮像モジュールでは、ケース２は箱形の下部の上に、レンズ６を収容する円筒部を乗せた形状だったが、図１の実施形態は、ケース２２を全体的に方形の箱状にしてある。そして上端面の天井部２２ｂの中央部から、ケース２２の内部に向かって伸びる円筒部２２ｃを設けた構成である。
【００１１】
円筒部２２ｃの内周の中間に棚２２ａを設けてこれにレンズ６を乗せ、絞り５で押さえ、絞り５は接着剤や超音波溶着でケース２２に接合してある。円筒部２２ｃの下端に、ＩＣ（３）への入射光の調整用のＩＲカットフィルタ７を固定してある。さらに本実施形態では、ケース２２の上端面にＩＲカットフィルタ２３を接合してある。
【００１２】
このように構成することにより、次の作用を得ている。まず、ケース２２の上端をＩＲカットフィルタ２３で覆ったことにより、リフロー炉内で上方からの赤外線を遮断して、ケース２２の温度上昇を防ぐ。一方、ケース２２内部のＩＲカットフィルタ７は、本来は撮像用のＩＣ（３）の感度調整が目的であるが、基板１やケース２２の壁を通過して入射する赤外線があった場合に、これが下方からレンズを加熱するのを遮断する作用もある。すなわちレンズ６は上下両面をＩＲカットフィルタ７、３１で赤外線から保護される。回路基板への実装後は、ＩＲカットフィルタ２３は不要であるから除去してもよいが、わざわざ除去しなくとも、引き続きケース２２に取り付けておけばよい。
【００１３】
上方からの赤外線防止には、ＩＲカットフィルタ２３を絞り５とレンズ６の間に配置することもできるが、図１のようにケース２２の上面に取り付ける方が、ケース２２全体への防熱効果があって有効である。
【００１４】
ケース２２を箱形にして、上端の天井部２２ｂから円筒部２２ｃを吊した構成により、実施形態の小型撮像モジュールを組み込み先の回路基板に乗せてリフロー炉に入れた時、図示しない下側の回路基板からの熱伝導の経路は、図１に矢印付きの太線２４で示したように、ケース２２の側壁、天井部２２ｂ、円筒部２２ｃ、棚２２ａを経てレンズ６に至り、これは図３の小型撮像モジュールにおけるより長い。
【００１５】
ケース２の断面形状が図３（Ｂ）のようであると、図示しない下側の回路基板からの熱伝導の経路は、単純にケース２の下側の箱形部の側壁から上側の円筒部を経てレンズ６に至り、この経路を図１に重ねて描くと、矢印付き太線２４の途中から破線２５を通る経路になる。従って実線の経路２４は、破線２５を含む経路に比し、ケース２２の天井部２２ｂから棚２２ａまでの深さの２倍に相当する距離だけ迂回していて長い。これにより下方の回路基板からレンズ６への熱伝導が減少する。また図３では、レンズを収容したケース２の円筒部側面が熱せられると、熱は直ちにレンズ６に伝わるが、図１の実施形態では、レンズ６の横方向はケース２２の円筒部２２ｃとケース外壁で二重に囲まれていて、空気層が介在し熱伝導が低下する。
【００１６】
図４の小型撮像モジュールは、ケース２の円筒部の内壁に設けた、円環状の棚２ａにレンズ６の外周を載せて支持している。本発明の実施形態では、図２に見るように、ケース２２の円筒部２２ｃの内壁の棚２２ａは連続した円環状でなく、分割して３箇所に設けてある。これによってレンズ６と棚２２ａの接触面積が減り、ケース２２からの熱伝導度を下げることができる。
【００１７】
ケース上端にＩＲカットフィルタを配置することと、レンズを載せる棚を分割して配置することは、もちろん図３、図４のような従来型の小型撮像モジュールにも適用できる。
【００１８】
【発明の効果】
従来、プラスチックレンズを用いた小型撮像モジュールは、リフロー時の熱によってレンズが変形してしまうため、半田のリフローを用いて回路基板に実装することができず、一方、耐熱性のあるガラスレンズは高価であるため、やむなく手作業で半田付けしたり、レンズなしのパッケージをリフローで回路基板に実装してからレンズを取り付たりするなどの、非能率な製造方法を余儀なくされていた。本発明によれば、適切な伝熱抑制手段の採用により、プラスチックレンズへの悪影響を防いで、小型撮像モジュールを半田のリフローで能率よく回路基板に表面実装することが可能になった。かくしてコストが低減し、製品の信頼性が向上する。
【図面の簡単な説明】
【図１】本発明の実施形態の断面図である。
【図２】図１の実施形態の分解斜視図である。
【図３】従来の小型撮像モジュールの図面で、（Ａ）は上面図、（Ｂ）は（Ａ）のＢ−Ｂ断面図である。
【図４】図３の小型撮像モジュールの分解斜視図である。
【図５】図３の小型撮像モジュールのレンズ周辺の、加熱前後の状態を示す断面図である。
【符号の説明】
１  基板
１ａ  窪み
２、２２  ケース
２ａ、２２ａ  棚
２２ｂ  天井部
２２ｃ  円筒部
３  ＩＣ
５  絞り
６  レンズ
７、２３  ＩＲカットフィルタ
８  接着剤
【図１】
0004030048.tif 000002
【図２】
0004030048.tif 000003
【図３】
0004030048.tif 000004
【図４】
0004030048.tif 000005
【図５】
0004030048.tif 000006